(57)【要約】【課題】音の放散抑止機能（遮音性）に優れつつスプリンクラーからの散水性を阻害しないブース装置を提供する。【解決手段】ブース装置は、周壁１とその上部に設けた天井部２とを有する。天井部２は、帯板状の吸音材２８，２９を平面視で縦横に交叉させた格子形状になっており、多数の空所３０を有する。内部空間３の平面積に対する空所３０の総和の割合（空隙率）を７０％以上に設定している。内部空間３で発生した音（例えば人の声）は、天井部２に衝突することで減衰される。天井部２の空隙率は７０％以上あるため、スプリンクラー４８から内部空間３への散水機能は確保できると共に、建物の天井４７に設けた灯具４９からの採光も可能となる。【選択図】図２
2014037671.tif 000002
【特許請求の範囲】
【請求項１】
屋内又は屋外に設置されるブース装置であって、
床に設置されて上向き開放の内部空間を形成する周壁と、前記内部空間から上向きに放散する音を減衰させる吸音性天井部とを有しており、前記周壁には出入り口を設けている一方、前記天井部は安定した姿勢の吸音材を主要材として構成されていて上下に開口した空隙が存在するように平面視で格子状その他の多孔状の形態を成しており、平面視での空隙の総和を前記内部空間の平面積の半分以上に設定している、
ブース装置。
【請求項２】
前記天井部の空隙の平面積の総和が前記内部空間の平面積の７０％以上になるように設定されている、
請求項１に記載したブース装置。
【請求項３】
前記天井部は、帯板状の吸音材の群をその幅方向が高さ方向となる姿勢に配置することで構成されており、前記吸音材の配置ピッチを当該吸音材の高さより小さくすることにより、前記空隙は縦長形状になっている、
請求項１又は２に記載したブース装置。
【請求項４】
前記吸音材は、金属板又は樹脂板又は木質系板又は無機系板の単層品若しくは積層品より成る芯板とその両面又は片面に重ね配置された吸音シートとの積層構造になっており、平面視で交叉した芯板のうち一方の芯板に重なった吸音シートは、交叉した芯板のうち他方の芯板に上から嵌め込まれて落下不能に保持されている、
請求項１〜３のうちのいずれかに記載したブース装置。
【請求項５】
屋内又は屋外に設置されるブース装置の天井部に配置される吸音ユニットであって、
前記ブース装置を構成する周壁の上端部に取り付られる外枠と、前記外枠の内側に配置された吸音部とを有しており、前記吸音部は、帯板状の吸音材の群をその幅方向が高さ方向となる姿勢で安定した状態に保持してなり、前記吸音材の群を、上下に開口した空隙が存在するように平面視で格子状その他の多孔状に配置されており、平面視での吸音部分の空隙率を半分以上に設定している、
ブース装置の天井部ユニット。
【発明の詳細な説明】
【技術分野】
【０００１】
本願発明は、屋内又は屋外に設置して人が使用するクローズド方式のブース装置及びその天井部ユニットに関するものである。
【背景技術】
【０００２】
オフィスやショールーム、展示会場等において、室内の空間を天井より低い高さのブース装置で仕切ってその内部で執務やミーティング、商談等を行うことは広く行われている。このブース装置の態様は様々であり、例えば高さで見ると、一般成人の身長より低い壁で仕切った低いタイプと、一般成人の身長よりも高い壁で仕切った高いタイプとに大別され、外部との遮蔽性で見ると、ドアを備えていないオープン方式とドアを備えた密閉方式（クローズド方式）とに大別される。低いタイプはオープン方式になっていることが多く、高いタイプは部屋や個室に近くなるため密閉方式になっていることが多い（例えば特許文献１）。
【０００３】
高いタイプのブース装置を密閉方式にしている１つの理由として、会話の漏洩を抑制する（ブライバシー性を高める）という目的があるが、ブース装置は周囲は壁で囲われているものの上方は天井に向けて開放されているため、会話や音が上方に放散して外部に漏れるという問題がある。すなわち、遮音性が低いという問題がある。例えば通信回線を使用したｗｅｂ会議をブース装置内で行う場合、対人状態での会話に比べて声が大きくなる傾向があるため、声の漏れの問題は特に顕著に顕れている。逆に、外部からの音の入り込みも大して抑制できないため、静粛性がよくないという問題もある。
【０００４】
この遮音性については、内部空間の上部を仕切る天井を設けたらよいと考えられるが、完全に閉じた天井を設けると、建物の天井部にスプリンクラーを設置したビルでは、スプリンクラーの水がブース装置の内部に入らないという防火上の問題（すなわち消防法に抵触する問題）が発生する。また、天井に配置している照明から採光できないという問題もある。
【０００５】
他方、建物の天井や壁を吸音材で構成することが従来から提案・実施されており、その例として特許文献２には、多数枚の消音板を平面視で格子姿勢に吊り下げ配置することが記載されており、特許文献３には、多数の小孔が空けられた石膏ボードの上面にシートを貼って吸音材と成すことが開示されており、特許文献４には、天井部にパネル状の吸音材を敷き詰めてその下面に吸音クロスを貼ることが開示されている。
【先行技術文献】
【特許文献】
【０００６】
【特許文献１】特開２００３−３３６３３９号公報
【特許文献２】特開平０１−３１２１３９号公報
【特許文献３】特開２００１−１３２１３２号公報
【特許文献４】特開２００７−３３２６１９号公報
【発明の概要】
【発明が解決しようとする課題】
【０００７】
特許文献３，４の吸音材は通水機能がないため、建物の天井に配置することは可能であっても、スプリンクラーの水が内部に流下することを要請されているブース装置の天井部には使用できない。他方、特許文献２は吊り下げ方式であって隣り合った消音板の間に大きな空間が空いているのでスプリンクラーの散水機能を阻害することはないが、消音板は単に吊り下げているだけなので、例えば、空調の風で揺れ動くことで照明灯具の光の反射や透過が不規則に変化してチラチラするといった問題が懸念される。
【０００８】
本願発明は、このような現状を改善すべく成されたものである。
【課題を解決するための手段】
【０００９】
本願発明は、屋内又は屋外に設置されるブース装置とこれに使用する天井部ユニットとを含んでいる。このうちブース装置は、請求項１のとおり、床に設置されて上向き開放の内部空間を形成する周壁と、前記内部空間から上向きに放散する音を減衰させる吸音性天井部とを有しており、前記周壁には出入り口を設けている一方、前記天井部は安定した姿勢の吸音材を主要材として構成されていて上下に開口した空隙が存在するように平面視で格子状その他の多孔状の形態を成しており、平面視での空隙の総和を前記内部空間の平面積の半分以上に設定している。
【００１０】
本願発明に係るブース装置は様々に展開できる。その例を請求項２以下で例示している。このうち請求項２の発明は、請求項１において、前記天井部の空隙の平面積の総和が前記内部空間の平面積の７０％以上になるように設定されている。
【００１１】
請求項３の発明は、請求項１又は２において、前記天井部は、帯板状の吸音材の群をその幅方向が高さ方向となる姿勢に配置することで構成されており、前記吸音材の配置ピッチを当該吸音材の高さより小さくすることにより、前記空隙は縦長形状になっている。
【００１２】
請求項４の発明は、請求項１〜３のうちのいずれかにおいて、前記吸音材は、金属板又は樹脂板又は木質系板又は無機系板の単層品若しくは積層品より成る芯板とその両面又は片面に重ね配置された吸音シートとの積層構造になっており、平面視で交叉した芯板のうち一方の芯板に重なった吸音シートは、交叉した芯板のうち他方の芯板に上から嵌め込まれて落下不能に保持されている。
【００１３】
天井部ユニットは請求項５で特定している。すなわち、本願発明の天井部ユニットは、ブース装置を構成する周壁の上端部に取り付られる外枠と、前記外枠の内側に配置された吸音部とを有しており、前記吸音部は、帯板状の吸音材の群をその幅方向が高さ方向となる姿勢で安定した状態に保持してなり、前記吸音材の群を、上下に開口した空隙が存在するように平面視で格子状その他の多孔状に配置されており、平面視での吸音部分の空隙率を半分以上に設定している。
【発明の効果】
【００１４】
本願発明では、天井部はブース装置の丙面積の半分以上の空隙率であるため、天井にスプリンクラーを設けている建物に設置しても、スプリンクラーの水がブース装置の内部に入ることは阻害されず、このため、会話等の音の放散を抑制できるものでありながら防火性に優れている。特に、請求項２のように空隙率を７０％以上に設定すると高層ビルなどにも問題なく対応できて好適である。また、吸音材は姿勢が安定していて空調の風で揺れるようなことはないため、ブース装置内での照明等の環境は一定に保持されており、このため人に違和感を与えることもない。
【００１５】
ビルの場合、防火基準は階数が高くなるほど厳しくなるが、上記のとおり、空隙率を７０％以上に設定すると、スプリンクラー作動時に水がブース装置の内部に迅速に入り込むため、高層・超高層の建物用としての高い防火性を確保できる。また、ブース装置の内部で火災や煙が発生した場合も、煙や熱を検知器で迅速に検知することができる。この面からも、高い防火性能を確保できる。
【００１６】
さて、ブース装置で発生した音は天井部が障害になって外部への放散が抑制されるが、高い空隙率の下で高い吸音性（遮音性）を確保するには、天井部の上下高さ（上下厚さ）をできるだけ大きくするのが好ましい。この点、請求項３のように空隙を縦長（上下に長い）状態に形成すると、音が空隙を通過するに際してエネルギを効率よく減衰させることができて、吸音性に優れている。また、吸音材は帯板状であるため、加工や組み立ても簡単である。
【００１７】
吸音材は天井部を構成するのである程度の強度が必要である。この点、例えば天井部を１つ又は複数の樹脂成形品で製造することも不可能ではないが、天井部はその性質上かなりの平面積があるため、樹脂の成形品を採用すると非常に大きな金型が必要になり、このためコストが著しく嵩む可能性が高い。また、音の吸収性に優れた樹脂を探すのも厄介であると推測される。
【００１８】
これに対して請求項４のように芯板に吸音シートを重ねた構成を採用すると、芯板は、例えば鋼板等の金属板を材料にして板金加工で製造したり、樹脂シートを素材にして打ち抜き加工する等して容易に製造できる一方、吸音シートはロール状等のものを素材として打ち抜きや切断等することで容易に製造することができるため、加工コストを低く抑えることができる。
【００１９】
また、請求項４では、芯板は主として強度メンバーとして機能させて、吸音シートに主として吸音機能を発揮させることができるため、吸音シートとしてスポンジ材やウレタン材や合板など各種のものを採用できると共に厚さの変更も簡単であり、このため融通性に優れている。また、複数種類の吸音シートからなる積層体を芯板に取り付けるといったことも可能である。
【００２０】
更に、請求項４は、吸音シートの取り付け構造にも特徴がある。すなわち、吸音シートを接着等で芯板の広幅面に固定するのではなくて、吸音シートが重なる芯板と交叉した芯板に上からの嵌め込みで取り付けているのであり、このため、吸音シートは、接着工程を要することなく簡単にかつ脱落不能に保持されている。
【００２１】
天井部は現場で組み付けていくことも可能であるが、請求項５のようにユニット化すると、周壁を組み立ててから１つ又は複数の天井ユニットを取り付ければ足りるため、吸音性ブース装置の組み立てを能率良く行えると共に、部材管理の手間も抑制できる。
【図面の簡単な説明】
【００２２】
【図１】（Ａ）は第１実施形態のブース装置の外観斜視図、（Ｂ）は天井部の部分破断斜視図である。
【図２】図１の模式的なII-II 視断面図である。
【図３】（Ａ）は周壁の概略平面図、（Ｂ）は周壁の正面図である。
【図４】天井部の分離斜視図である。
【図５】外枠と芯板群との分離斜視図である。
【図６】平面図である。
【図７】（Ａ）は周壁のコーナーの平断面図、（Ｂ）は図５のＢ−Ｂ視断面図、（Ｃ）は図６のＣ−Ｃ視断面図である。
【図８】第１実施形態の吸音性能を示すグラフである。
【図９】（Ａ）は第２実施形態の要部縦断面、（Ｂ）は第３実施形態の概略部分正面図である。
【図１０】第４〜第８実施形態の要部部分正面図である。
【図１１】（Ａ）は第９実施形態の要部部分正面図、（Ｂ）は第１０実施形態の部分平面図、（Ｃ）は第１１実施形態の部分平面図である。
【発明を実施するための形態】
【００２３】
(1).第１実施形態の構造
次に、本願発明の実施形態を図面に基づいて説明する。まず、第１実施形態から説明する。本願実施形態のブース装置は、内部に人が１人又は数人入ることができる程度の大きさであり、建物の広いスペースに設置して商談やミーティング、通常の執務、ｗｅｂ会議、仮眠などの各種の用途に使用できる。スモールオフィスとしても好適である。
【００２４】
ブース装置は、４つの側面を有して上向きに開放された平面視四角形の周壁１と、周壁１の上端部に取り付けた天井部２とを有しており、周壁１の内部空間３は天井部２で上から覆われている。周壁１を構成する１つの壁に出入り口４を設けており、出入り口４には水平回動式のドア５を配置している。なお、周壁１は本体部と呼ぶことも可能である。図１に示すように、周壁１を構成する各面のうち一部又は全部にガラス窓６を設けることも可能である。
【００２５】
図３及び図７（Ａ）に示すように、周壁１は骨組みを有しており、骨組みは、４本のコーナー支柱７とこれに固定されたエンド支柱８、隣り合ったエンド支柱８の間に背中合わせに配置された中間支柱９、エンド支柱８と中間支柱９との上端に連結された水平姿勢の天枠体（笠木）１０とを有している。従って、周壁１の上面は天枠体１０で構成されている。コーナー支柱７とエンド支柱８と中間支柱９との下端を下枠体で連結することも可能である。
【００２６】
コーナー支柱７は四角形の角管構造になっている一方、エンド支柱８と中間支柱９とは幅広部８ａ，９ａと幅狭部とを有する平面視略Ｔ形になっており、エンド支柱８の幅広部８ａはコーナー支柱７に外面に溶接で固定されており、２本の中間支柱９はその幅広部９ａが重なるように背中合わせに配置されていて、両者は溶接で固定されている。
【００２７】
周壁１は壁パネル（壁体）１１を有していくる。壁パネル１１は、鋼板等の金属板より成る表面板１２の間に心材１３を挟んだ構造になっている。心材１３は、ロックウールや石膏等の無機材、或いはウレタン又はスポンジのような発泡樹脂など各種のものを採用できる。壁パネル１１の外側のみを金属製表面板で構成して、その内面に吸音性の高い素材を貼り付けることも可能である。勿論、壁パネル１１の外面と内面との両方をスポンジ材等の吸音材で構成することも可能である。ドア５は、ヒンジ（図示せず）を介して中間支柱９に取り付けられている。
【００２８】
図７（Ｃ）に示すように、天枠体１０は中空の押し出し品を採用しており、その両端部はエンド支柱８及び中間支柱９に嵌まるように部分的に切除されている。天枠体１０のうち内部空間３の側と外部空間の側とには、上向き開口溝１４を形成している。
【００２９】
図１及び図６から理解できるように、天井部２は平面視長方形の２つの天井部ユニット１６で構成されている。図４，５から容易に理解できるように、天井部ユニット１６は、上下に開口した平面視長方形の外枠１７と、外枠１７の内部に縦横に整列して交叉姿勢に配置した第１芯板１８及び第２芯板１９の群と、第１芯板１８に上から嵌め込まれた第１吸音シート２０の群と、第１吸音シート２０及び第１芯板１８に上から嵌め込まれた第２吸音シート２１の群とから成っている。
【００３０】
芯板１８，１９は樹脂板や金属板を採用している。金属板の場合は素材板を打ち抜き加工して製造されるが、樹脂板を採用する場合は、射出成形によって製造してもよいし、シート材を後加工して製造してもよい。吸音シート２０，２１は、スポンジ材やウレタンゴムのように表面に無数の微細穴を有する多孔材を使用している。吸音シート２０，２１としては、ゼオライト板のような無機材や異種材料の積層体など、各種のものを使用できる。
【００３１】
外枠１７は、天井部２の外側を構成するアウターメンバー２２と内部空間３の側に位置したインナーメンバー２３とから成っている。インナーメンバー２３は単なる平板構造であるが、図７（Ｂ）（Ｃ）のとおり、アウターメンバー２２は周壁１を構成する天枠体１０に上から重なる上水平片２２ａを有しており、上水平片２２ａがビス２４で天枠体１０に固定されている。また、アウターメンバー２２の上水平片２２ａには、天枠体１０の上向き開口溝１４に嵌まる下向き片２２ｂを折り曲げ形成している。下向き片２２ｂが上向き開口溝１４に嵌まることにより、天井部ユニット１６は横向き脱落不能に保持される。このため、組み立てを安全に行うことができる。
【００３２】
下向き片２２ｂはアウターメンバー２２の略全長にわたって設けているが、部分的に設けることも可能である。また、下向き片２２ｂを天枠体１０の外側に露出させることも可能である。周壁１は天枠体１０を備えていない構成とすることも可能であり、この場合は、パネル１１の上端部にアウターメンバー２２を被せて、アウターメンバー２２をパネル１１の上面にビスで固定したらよい。天井部２の取り付け手段としては、周壁１の上部に内向きのブラケットを設けて、このブラケットに外枠１７を固定するといったことも可能である。
【００３３】
図６に示すように、天井部ユニット１６は長方形なので、アウターメンバー２２は長さの長いもの１本と長さが短いもの２本とがあり、、それぞれにビス穴２５，２６を設けているが、長さが短い１本のビス穴２５は真円で、他の２本のビス穴２６は長さが長いものの長手方向に長い長穴になっている。このため、天井部ユニット１６の加工誤差や天枠体１１の加工誤差を吸収しつつ、確実に固定することができる。
【００３４】
図１（Ｂ）図４から理解できるように、第１芯板１８の表裏に第１吸音シート２０を重ね配置することで第１吸音材２８が構成されて、第２芯板１９の表裏に第２吸音シート２１を重ね配置することで第２吸音材２９が構成されており、並列配置された第１吸音材２８の群と同じく並列配置された第２吸音材２９の群と格子状に噛み合わせることにより、吸音部が構成されている。
【００３５】
各吸音材２８，２９の群は帯状の形態であり、幅方向が上下方向になる姿勢（すなわち、広幅面が鉛直方向になる姿勢）で配置されている。このため、吸音部（天井部２）には、平面視四角形（正方形）で上下に開口した空所３０の群が縦横に整列して形成されている。次に、吸音材２８，２９の構成を図４，５に基づいて説明する。
【００３６】
図５に明示するように、第１芯板１８の群と第２芯板１９の群とは、第１芯板１８が上で第２芯板１９の群が下になる状態で平面視で直交した姿勢に配置されている。第１芯板１８の群の配置ピッチと第２芯板１９の群の配置ピッチとは同じ寸法に設定している。また、各芯板１８，１９の端は外枠１７に溶接されている。
【００３７】
芯板１８，１９の配置ピッチは約１３３ｍｍ、芯板１８，１９の板厚は０．８ｍｍ、吸音シート２０，２１の厚さは１０ｍｍであった。従って、空所３０の１辺の幅寸法は約１１２ｍｍであり、吸音材２８，２９の高さ（幅）を２００ｍｍとすると、空所３０は縦長の形態になっている（なお、吸音材２８，２９の高さが２００ｍｍであると、空所３０は対角線の箇所で見ても縦長の形態になっている。）。
【００３８】
第２芯板１９には、第１芯板１８が入り込む上向きスリット３１が所定間隔で形成されている一方、第１芯板１９には、上向きスリット３１に対応した下向きスリット３２が所定ピッチで形成されており、これらスリット３１，３２の箇所で各芯板１８，１９の群を嵌め合わせることにより、芯板１８，１９の群が格子状に組み合わさっている。上向きスリット３１の深さ寸法Ｈ１は第１芯板１８の幅寸法Ｗの半分よりも深い寸法に設定されており、下向きスリット３２の深さ寸法Ｈ２は、芯板１８，１９の幅寸法から上向きスリット３１の深さ寸法Ｈ１を引いた寸法である。敢えて述べるまでもないが、スリット３１，３２の溝幅は、芯板１８，１９の板厚と同じか極く僅かに大きい。
【００３９】
第２芯板１９には、上向きスリット３１に連通した上向き開口溝３３が形成されている。また、第１芯板１８にも、下向きスリット３２に対応した位置に上向き開口溝３３が形成されている。上向き開口溝３３の深さ寸法Ｈ３は、上向きスリット３１の深さ寸法Ｈ１の半分程度の寸法に設定されている。従って、第１芯板１８のうち下向きスリット３２と上向き開口溝３３との間には間隔が空いている（そうでないと、帯状の形態を保持できない。）。上向き開口溝３３の溝幅は、２枚の吸音シート２０，２１と１枚の第１芯板１８，１９とが嵌まる寸法になっている。
【００４０】
各芯板１８，１９の両端には、１枚の吸音シート２０，２１が嵌まる補助切欠き３４を形成している。補助切欠き３４は、上向き開口溝３３と同じ深さになっている。各芯板１８，１９における上向き開口溝３３の上端縁部と補助切欠き３４の上端縁部とには、吸音シート２０，２１の嵌め込みをガイドするための傾斜面３５を形成している。
【００４１】
図４のとおり、第２吸音シート２１には、第１芯板１８に上から嵌まり込む下向き切り込み３７が形成されている。下向き切り込み３７の深さ寸法Ｈ４は、第１芯板１８における上向き開口溝３３の下側の寸法Ｅと同じ寸法であり、第２吸音シート２１に下向き切り込み３７が存在することと、第１芯板１８に上向き開口溝３３が存在することとにより、第２吸音シート２１は第２芯板１９の片面にきっちり重なって落下不能に保持されている。外枠１７の長手内側面にも１枚の第２吸音シート２１が重なっている。
【００４２】
第２吸音シート２１には、下向き切り込み３７に対応した上向き切り開き溝３８が形成されている一方、第１吸音シート２０には、第２吸音シート２１の上向き切り開き溝３８に噛み合う下向き切り開き溝３９が形成されている。切り開き溝３８，３９は、２枚の吸音シート２０，２１と１枚の芯板１８，１９が嵌まる溝幅に設定されている。
【００４３】
また、上向き切り開き溝３８の深さ寸法Ｈ５は上向き開口溝３３の深さ寸法Ｈ４より小さい寸法であり、下向き開き溝３９の深さ寸法Ｈ６は、第２吸音シート２１の幅寸法ＷからＨ５を引いた寸法と同じ寸法である。従って、第１吸音シート２０の群と第２吸音シート２１の群とは、上面同士及び下面同士が同一面を成す状態で噛み合っている。
【００４４】
第２吸音シート２１の両端には、外枠１７の短手内側面に重なった第１吸音シート２０が嵌まる第２補助切欠き４０を上方と側方とに開放するように形成しており、第１吸音シート２０の両端には、外枠１７の長手内側面に重なった第２吸音シート２１に嵌まる第１補助切欠き４１を下方と側方とに開放するように形成している。
【００４５】
外枠１７で囲われた内側に芯板１８，１９と吸音シート２０，２１との群が存在することで開口面積が小さくなっているが、空所３０の総和が内部空間３の平面積（又はブース装置の平面積）に占める割合である空隙率を７０％以上に設定している（例えば７０〜８０％。）。なお、例えば図７（Ｂ）（Ｃ）に示すように、吸音シート２０，２１の上端面は外枠１７の上面よりも若干高くなっているが、両者を同じ高さに揃えても良いし、逆に、吸音シート２０，２１の上端面を外枠１７の上面より低くしてもよい。
【００４６】
(2).第１実施形態のまとめ
図２では、ブース装置の内部空間３に机４２を設置した状態を描いており、使用者４３は、モニター４４を見ながらｗｅｂ会議をすることができる。符号４５はカメラ、符号４６はマイクを示している。
【００４７】
使用者が会話すると、その声は天井部２を通ってブース装置の外部に放散されるが、天井部２に吸音材２８，２９の群が存在することにより、使用者から発せられた音（声）が天井部２を通過するに際して、音（音波）のエネルギは吸音材２８，２９に吸収されて減衰したり回折が抑制されたりする。すなわち、天井部が多数の空所３０に仕切られていることによって空気の振動（音の伝播）が阻害され易くなっていることと、吸音材２８，２９が略均等に分散した状態（すなわち、吸音材２８，２９が天井部全体に分布した状態）で極めて広い総面積になっていて空気の振動が吸収され易くなっていることの相乗効果により、ブース装置の内部での会話が外部に漏洩することを効率的に抑制できると共に、ブース装置の内部に外部から進入する音のエネルギを減衰させて内部空間３の静粛性を向上できる。
【００４８】
また、天井部２の空隙率は７０％以上であるため、建物の天井４７に設けたスプリンクラー４８から内部空間３への散水機能に障害はなくて高い防火性能を確保できると共に、天井に設けた灯具４９からの採光も可能ならしめている。内部空間３で発生した音がどのように放散・減衰するかは、音源の位置や音の向き、内壁の材質、床の材質、内部空間３での家具類の配置態様等で異なってくる（音は家具類の表明で反射するので、家具類の材質やレイアウトも音の放散に影響している。）。図２では、実線矢印では、音源（人の口）が概ね内部空間３の中央部に位置している場合の放散態様を模式的に示し、点線矢印では、音源が内部空間３の端に位置している場合の放散態様を模式的に示している。
【００４９】
図８では、天井部２の効果を検証する測定結果を示している。音源は図２の実線の位置（内部空間３の中央部）に配置して、音の強さは音源から水平方向に２５００ｍｍ離れて床から１７００ｍｍの高さ位置の点で測定した。Ａの線は比較例の測定結果を示すものであり、これは、ブース装置が存在しない状態で２５０〜４０００Ｈｚの各周波数で音の強さを測定したものである。
【００５０】
Ｂの線も比較例を示すもので、これは、天井部２を備えていないブース装置の内部で音を発生させてブース外での音の強さを測定している。従って、Ｂは周壁１による音の減衰効果を示すものと言える。そして、ＡとＢとの比較から、周壁１が相当の遮音機能を発揮していることが理解できる。また、ＡとＢとの比較から、周壁１の遮音性は、１０００Ｈｚ程度までは周波数に比例して高くなく、１０００Ｈｚ程度を超えると遮音性にさほどの変化はみられないことも判る。  
【００５１】
ＣとＤの線は本実施形態を示しており、Ｃは天井部２の厚さを１００ｍｍに設定した場合、Ｄは天井部２の厚さを２００ｍｍに設定した場合である。空隙率はいずれも７０％である。このＣとＤの線から、特に５００Ｈｚ以上の高い周波数域で高い減衰効果を発揮していることが読み取れる。周波数が高くなるほど減衰効果が高くなっているが、これは、周波数が高くなるほど音波の直線性が強くなって回折がしにくくなり、天井部２が音波の伝播に対する障害として機能しているためと推測される。
【００５２】
また、厚さ２００ｍｍの線Ｄでは、２５０Ｈｚにおいても他の場合より最も減衰しているが、これは、空所３０の上下高さが高くなることで音が回折しにくくなっているためと推測される。
【００５３】
構造的な面から第１実施形態を見ると、まず、吸音シート２０，２１は上からの嵌め込み式になっているため、接着のような工程が不要で組み立てが容易である利点がある。吸音シート２０，２１が汚損した場合等の交換も簡単である。本実施形態のように吸音シート２０，２１を使用する場合は、不織布を使用することも可能である。本実施形態のように外枠構造を有する天井部ユニット１６を採用すると、天井部ユニット１６は堅牢な構造になるため、天井部ユニット１６によって周壁１が補強されることになり、その結果、ブース装置が頑丈な構造になる利点がある。
【００５４】
(3).他の実施形態
次に、図９以下に示す他の実施形態を説明する。図９のうち（Ａ）に示す第２実施形態では、帯板状の吸音材５１を多数の穴５２が存在する穴空き板で構成している。穴空き板としてパンチングメタルを使用することも可能であり、その場合、パンチングメタルを単体で使用してもよいし、片面又は両面に吸音シートを重ね配置してもよい。第１実施形態の吸音材２８，２９に多数の穴を空けることも可能である。
【００５５】
図９（Ｂ）に示す第３実施形態では、吸音材５１はその上端部を中心にして回動可能な角度調節式となっており、図示しない操作手段によって姿勢を変えることができる。２つの群の吸音材５１を交叉姿勢に配置している場合は、一方の群の吸音材５１のみを姿勢変更式にしたらよい。
【００５６】
図１０（Ａ）に示す第４実施形態では吸音材５１をく字形の側面形状としており、図１０（Ｂ）に示す第５実施形態では吸音材５１を円弧形の側面形状としている。また、図１０（Ｃ）に示す第６実施形態では吸音材５１を上下２カ所で曲がった形態にしている。これら第４〜第６実施形態では、音は空所３０を通過しにくくなるので減衰効果が高くなると推測される。
【００５７】
図１０（Ｄ）に示す第７実施形態では、上下に位置した吸音材５１ａと上下中間部に位置した吸音材５１ｂとを交互に千鳥配列している。２種類の吸音材５１ａ，５１ｂのうち一方を鉛直線に対して傾斜させてもよい。或いは、上下中間部に位置した吸音材５１ｂを水平姿勢にしてもよい。この場合も、空所３０は上下に開口しているのでスプリンクラーの散水機能は阻害しない。
【００５８】
図１０（Ｅ）に示す第８実施形態では、吸音材５１の群を、中央部のものが最も高さが高くなるように、位置によって高さを異ならせている。吸音材５１の群の高さを変える場合のパターンは、音の放散の解析結果に基づいて任意に変更できる。
【００５９】
図１１（Ａ）に示す第９実施形態では、周壁１のうち天井部２の直下部に送風部５３と受風部５４とを相対向するように配置している。音は空気を振動させて伝播するもので、遠くの音が風に乗って伝わる現象はよく知られているが、この実施形態では、内部空間３の空気を天井部２の真下で移動させることで空気の振動を強制的に減衰させんとしたものである。点線矢印で示すように、２つの送風機を対向して配置し、２つの風を衝突させてもよい。なお、送風は建物の空調を空気を取り込んだらよい。
【００６０】
図１１（Ｂ）に示す第１０実施形態と図１１（Ｃ）に示す第１１実施形態とは、吸音部（或いは天井部２）の平面視形状の別例である。このうち第１０実施形態では、吸音材５１の群を空所が三角形となるように配置しており、第１１実施形態で、吸音材５１を蜘蛛の巣状に配置している。図示していないが、空所３０を正六角形としてハニカム構造も採用できる。
【００６１】
(4).その他
本願発明は、上記の実施形態の他にも様々に具体化できる。例えば、吸音材としては木板、合板、コルク板、ケイカル板、樹脂板などの各種材質の単体又は積層体を使用できる。天井部ユニットの全体又は一部を一体成形することも可能である。ブース装置は、複数の内部空間を有する多連式とすることも可能である。ブース装置の平面視形状は四角形である必然性はなく、円形や楕円形など様々の形態に展開できる。吸音材を平面視で渦巻き状に形成することも可能である。
【００６２】
ブース装置は空間を仕切る機能があれば足りるのであり、様々な構造や材料を使用できる。例えば支柱を備えていないパネル組み立て方式とすることも可能である。支柱を備えてタイプの場合、支柱を建物の天井面まで伸ばして、周壁と天井とを建物の天井より低くするといったことも可能である。また、天井部の一部を本願発明の吸音性天井部で構成して、残りの部分は開放させるかベタの天井板で塞ぐといったことも可能である。
【産業上の利用可能性】
【００６３】
本願発明は、オフィス等に設置するブース装置に具体化できる。したがって、産業上利用できる。
【符号の説明】
【００６４】
１  周壁（本体）
２  天井部
３  内部空間
４  出入り口
５  ドア
１１  壁パネル
１６  天井部ユニット
１７  外枠
１８，１９  芯板
１０，２１  吸音シート
２８，２９，５１  吸音材
３０  空所
３１，３２  スリット
３３  上向き開口溝
３７  下向き切り込み
３８  上向き切り開き溝
３９  下向き切り開き溝
４８  スプリンクラー
４９  灯具
【図１】
2014037671.tif 000003
【図２】
2014037671.tif 000004
【図３】
2014037671.tif 000005
【図４】
2014037671.tif 000006
【図５】
2014037671.tif 000007
【図６】
2014037671.tif 000008
【図７】
2014037671.tif 000009
【図８】
2014037671.tif 000010
【図９】
2014037671.tif 000011
【図１０】
2014037671.tif 000012
【図１１】
2014037671.tif 000013